(57)【要約】      （修正有）【課題】新たな土地の追加・造成を必要とせず、施工コストを抑えて太陽電池パネルを増設することができる太陽電池パネル増設方法を提供する。【解決手段】太陽電池パネル増設方法が、複数の太陽電池パネル支持構造１００が互いに間隙を開けて配列された既設の太陽光発電設備１０に対して、新たな太陽電池パネル１４０を増設する太陽電池パネル増設方法であって、少なくとも間隙を含む、複数の太陽電池パネル支持構造１００の何れかの近傍スペースＳ１１に新たな太陽電池パネル１４０を増設する増設工程を備える。【選択図】図２
2016220535.tif 000002
【特許請求の範囲】
【請求項１】
複数の太陽電池パネル支持構造が互いに間隙を開けて配列された既設の太陽光発電設備に対して、新たな太陽電池パネルを増設する太陽電池パネル増設方法であって、
少なくとも前記間隙を含む、前記複数の太陽電池パネル支持構造の何れかの近傍スペースに、前記新たな太陽電池パネルを増設する増設工程を備えたことを特徴とする太陽電池パネル増設方法。
【請求項２】
前記近傍スペースが、少なくともその一部に、当該近傍スペースに隣接する太陽電池パネル支持構造の影が落ち得るスペースであり、
前記増設工程が、前記影が落ちることを許容しつつ前記新たな太陽電池パネルを増設する工程であることを特徴とする請求項１に記載の太陽電池パネル増設方法。
【請求項３】
前記増設工程が、前記複数の太陽電池パネル支持構造の何れかにおける既設架台を、前記近傍スペースへと延長した延長架台を設置し、前記新たな太陽電池パネルを当該延長架台で支持させる工程であることを特徴とする請求項１又は２に記載の太陽電池パネル増設方法。
【請求項４】
前記増設工程が、前記近傍スペースに、前記複数の太陽電池パネル支持構造の何れの既設架台とも別体の増設架台を設置し、前記新たな太陽電池パネルを当該増設架台で支持させる工程であることを特徴とする請求項１又は２に記載の太陽電池パネル増設方法。
【発明の詳細な説明】
【技術分野】
【０００１】
本発明は、既設の太陽光発電設備に対して、新たな太陽電池パネルを増設する太陽電池パネル増設方法に関する。
【背景技術】
【０００２】
地球環境問題に対する関心の高まりを受けて、温室効果ガスの削減等に効果が期待される太陽光発電が注目されている。太陽光発電では、架台で太陽電池パネルを支持した太陽電池パネル支持構造が屋外の設置場所に設置されて太陽光発電設備が構成される（例えば、特許文献１参照。）。
【先行技術文献】
【特許文献】
【０００３】
【特許文献１】特開２０１０−１９２７７７号公報
【発明の概要】
【発明が解決しようとする課題】
【０００４】
ここで、既設の太陽光発電設備における発電容量を増やすために太陽電池パネルの増設が行われることがある。このような増設では、新たな太陽電池パネルを増設するためのスペースを確保する必要があるが、増設スペースの確保には、新たな土地の追加・造成が必要であり、施工コストが嵩むことが多い。
【０００５】
従って、本発明は、上記のような課題に着目し、新たな土地の追加・造成を必要とせず、施工コストを抑えて太陽電池パネルを増設することができる太陽電池パネル増設方法を提供することを目的とする。
【課題を解決するための手段】
【０００６】
上記課題を解決するために、本発明の太陽電池パネル増設方法は、複数の太陽電池パネル支持構造が互いに間隙を開けて配列された既設の太陽光発電設備に対して、新たな太陽電池パネルを増設する太陽電池パネル増設方法であって、少なくとも前記間隙を含む、前記複数の太陽電池パネル支持構造の何れかの近傍スペースに、前記新たな太陽電池パネルを増設する増設工程を備えたことを特徴としている。
【０００７】
ここで、本発明の太陽電池パネル増設方法において、前記近傍スペースが、少なくともその一部に、当該近傍スペースに隣接する太陽電池パネル支持構造の影が落ち得るスペースであり、前記増設工程が、前記影が落ちることを許容しつつ前記新たな太陽電池パネルを増設する工程であることが好適である。
【０００８】
また、本発明の太陽電池パネル増設方法において、前記増設工程が、前記複数の太陽電池パネル支持構造の何れかにおける既設架台を、前記近傍スペースへと延長した延長架台を設置し、前記新たな太陽電池パネルを当該延長架台で支持させる工程であることが好適である。
【０００９】
また、延長架台を設置する上記の好適な太陽電池パネル増設方法において、前記既設架台が、複数本の支持脚を備えたものであり、前記増設工程が、少なくとも、前記延長架台を設置した前記既設架台における前記複数本の支持脚を相互に連結するレールを更に設置する工程であることが更に好適である。
【００１０】
また、本発明の太陽電池パネル増設方法において、前記増設工程が、前記近傍スペースに、前記複数の太陽電池パネル支持構造の何れの既設架台とも別体の増設架台を設置し、前記新たな太陽電池パネルを当該増設架台で支持させる工程であることも好適である。
【００１１】
また、別体の増設架台を設置する上記の好適な太陽電池パネル増設方法において、前記増設工程が、前記近傍スペースに、防草シートを敷き、その上に置き基礎を載置して、当該置き基礎に前記別体の増設架台を設置し、前記新たな太陽電池パネルを当該増設架台で支持させる工程であることが更に好適である。
【００１２】
また、別体の増設架台を設置する上記の好適な太陽電池パネル増設方法において、前記既設架台が、複数本の支持脚を備えたものであり、前記増設工程が、前記既設架台における前記複数本の支持脚を相互に連結するとともに前記近傍スペースへと延びるレールを設置して、当該レールに前記別体の増設架台を設置し、前記新たな太陽電池パネルを当該増設架台で支持させる工程であることも更に好適である。
【００１３】
また、本発明の太陽電池パネル増設方法において、前記増設工程が、前記新たな太陽電池パネルとして、薄膜系モジュールを用いる工程であることも好適である。
【発明の効果】
【００１４】
既設の太陽光発電設備において、複数の太陽電池パネル支持構造の相互間の間隙は、増設という観点では従来見過ごされている。本発明の太陽電池パネル増設方法によれば、このような間隙を少なくとも含む複数の太陽電池パネル支持構造の何れかの近傍スペースが、新たな太陽電池パネルの増設スペースとして利用される。このように、本発明の太陽電池パネル増設方法によれば、従来見過ごされてきた上記の近傍スペースを利用することで、新たな土地の追加・造成を必要とせず、施工コストを抑えて太陽電池パネルを増設することができる。
【図面の簡単な説明】
【００１５】
【図１】第１実施形態にかかる太陽電池パネル増設方法によって新たな太陽電池パネルの増設を受ける既設の太陽光発電設備を示す図である。
【図２】第１実施形態の太陽電池パネル増設方法を示す図である。
【図３】第２実施形態の太陽電池パネル増設方法を示す図である。
【図４】第３実施形態の太陽電池パネル増設方法を示す図である。
【図５】第４実施形態の太陽電池パネル増設方法を示す図である。
【図６】図５に示されているレールの支持脚への固定箇所を、図５中の矢印Ｖ４１矢視で示す拡大図である。
【図７】第５実施形態の太陽電池パネル増設方法を示す図である。
【図８】第６実施形態の太陽電池パネル増設方法を示す図である。
【図９】図８に示されているレールの支持脚への固定箇所を、図８中の矢印Ｖ６１矢視で示す拡大図である。
【図１０】第７実施形態の太陽電池パネル増設方法を示す図である。
【発明を実施するための形態】
【００１６】
本発明の一実施形態の太陽電池パネル増設方法について、以下に説明を行う。まず、第１実施形態について説明する。
【００１７】
図１は、第１実施形態にかかる太陽電池パネル増設方法によって新たな太陽電池パネルの増設を受ける既設の太陽光発電設備を示す図である。
【００１８】
既設の太陽光発電設備１０は、既設架台１１０で複数枚の太陽電池パネル１２０を並べて支持した太陽電池アレイとしての太陽電池パネル支持構造１００が、更に複数配列されて構成されている。
【００１９】
既設架台１１０は、太陽電池パネル１２０を傾斜支持する架台であり、設置場所に立設された支持脚１１１と、この支持脚１１１の上端に固定されて太陽電池パネル１２０の非受光面である裏面を支持する裏面支持構造１１２と、を備えている。
【００２０】
設置場所には、複数本の布基礎１３０が、図１の紙面に垂直な方向に延びつつ互いに並行設置されている。布基礎１３０は、１つの太陽電池パネル支持構造１００について一対ずつ、傾斜方向についての支持脚１１１の間隔に対応した間隔を開けて設けられている。各布基礎１３０の上面に、各支持脚１１１の下端が固定されている。
【００２１】
また、既設の太陽光発電設備１０では、複数の太陽電池パネル支持構造１００は、任意の太陽電池パネル支持構造１００における太陽電池パネル１２０に他の太陽電池パネル支持構造１００の影が落ちないように、間隙を開けて配列されている。
【００２２】
ここで、以下に説明する太陽電池パネル増設方法は、以上に説明した既設の太陽光発電設備１０の発電容量を増やすために、新たな太陽電池パネルを増設する方法である。
【００２３】
図２は、第１実施形態の太陽電池パネル増設方法を示す図である。尚、図２では、新たな太陽電池パネル１４０について、増設前の状態と、増設後の状態とが、併記されている。
【００２４】
本実施形態では、複数の太陽電池パネル支持構造１００それぞれの近傍スペースＳ１１に新たな太陽電池パネル１４０を増設する増設工程が行われる。ここにいう近傍スペースＳ１１とは、図２に示されているように、太陽電池パネル１２０の傾斜方向に沿った太陽電池パネル支持構造１００の配列方向Ｄ１１について、各既設架台１１０の前方側のスペースである。
【００２５】
ここでの増設工程では、複数の太陽電池パネル支持構造１００それぞれにおける既設架台１１０の裏面支持構造１１２の、配列方向Ｄ１１の前方側を近傍スペースＳ１１へと延長した延長架台１５０が設置される。新たな太陽電池パネル１４０は、この延長架台１５０で支持される。本実施形態では、裏面支持構造１１２が配列方向Ｄ１１に延びたＣ鋼を備えている。延長架台１５０は、新たな太陽電池パネル１４０の裏面を支持する延長裏面支持構造１５１を備えている。この延長裏面支持構造１５１が、既設架台１１０の裏面支持構造１１２のＣ鋼と同様のＣ鋼を備えており、延長裏面支持構造１５１は、これらのＣ鋼と嵌合する継手１５２を介して、裏面支持構造１１２における配列方向Ｄ１１の前端に連結される。
【００２６】
また、ここでの増設工程では、近傍スペースＳ１１に、コンクリートの基礎１６０が新たに設置され、延長裏面支持構造１５１からは、この新たな基礎１６０へと補助用支持脚１５３が延ばされ、その下端が新たな基礎１６０に固定される。尚、ここでは特定しないが、この基礎１６０は、布基礎であってもよく、独立基礎であってもよい。また、基礎１６０と補助用支持脚１５３については、次のような場合には省略してもよい。即ち、太陽電池パネル支持構造１００の既設架台１１０の強度が十分に高い場合や、既設の太陽光発電設備１０の設置場所において想定される風荷重が小さい場合には、上記の部材を省略してもよい。
【００２７】
ここで、既設の太陽光発電設備１０において、複数の太陽電池パネル支持構造１００の相互間の間隙は、増設という観点では従来見過ごされている。以上に説明した本実施形態の太陽電池パネル増設方法によれば、このような間隙を少なくとも含む複数の太陽電池パネル支持構造１００の何れかの近傍スペースＳ１１が、新たな太陽電池パネル１３０の増設スペースとして利用される。このように、本実施形態の太陽電池パネル増設方法によれば、従来見過ごされてきた上記の近傍スペースＳ１１を利用することで、新たな土地の追加・造成を必要とせず、施工コストを抑えて太陽電池パネルを増設することができる。
【００２８】
ここで、増設スペースとして利用される近傍スペースＳ１１のうち、図２において、２つの太陽電池パネル支持構造１００の相互間の近傍スペースＳ１１は、次のようなスペースとなっている。即ち、この近傍スペースＳ１１は、時刻等の日照状況によっては隣接する太陽電池パネル支持構造１００の影が落ちる得るスペースとなっている。このため、このような近傍スペースＳ１１に新たな太陽電池パネル１４０を増設すると、日照状況によっては受光面の一部に影が落ちる可能性がある。しかしながら、その影による発電量の低下を加味しても、新たな太陽電池パネル１４０の増設により大幅な発電量の増加を見込むことができる。
【００２９】
このように、本実施形態の太陽電池パネル増設方法では、隣接する太陽電池パネル支持構造１００の影が落ちることを許容しつつ、上記の近傍スペースＳ１１が、新たな太陽電池パネル１４０の増設スペースとして利用される。これにより、近傍スペースＳ１１を高い自由度で利用することができるので、良好な作業性の下で太陽電池パネルを増設することができる。
【００３０】
また、本実施形態の太陽電池パネル増設方法によれば、既設架台１００の構造を生かして、これを延長した延長架台１５０を設置することから、増設のための架台設置についてのコストを低減することができる。従って、本実施形態の太陽電池パネル増設方法によれば、施工コストを一層抑えて新たな太陽電池パネル１４０を増設することができる。
【００３１】
ここで、本実施形態の太陽電池パネル増設方法では、新たな太陽電池パネル１４０として、薄膜系モジュールを用いることが好ましい。
【００３２】
一般に、複数の発電セルからなりその一部でも影によって発電しなくなると一時的にせよ発電回路全体が動作しなくなる結晶系モジュールに対し、薄膜系モジュールは、影の面積分だけ発電量が低下するだけのシンプルな構造を有している。従って、本実施形態の太陽電池パネル増設方法によれば、新たな太陽電池パネル１４０について影の影響を一層抑えつつ増設することができる。
【００３３】
尚、上述したように、各太陽電池パネル支持構造１００については、他の太陽電池パネル支持構造１００の影が落ちないように、間隙を開けて配列されている。つまり、各太陽電池パネル支持構造１００の太陽電池パネル１２０については、元々影の影響が抑えられている。このため、各太陽電池パネル支持構造１００の太陽電池パネル１２０は、ここでは特定しないが結晶系モジュールであっても薄膜系モジュールであってもよい。
【００３４】
次に、第２実施形態について説明する。第２実施形態は、新たな太陽電池パネルの増設スペースとしての近傍スペースの位置が、上述した第１実施形態とは異なっている。以下、第２実施形態について、この第１実施形態との相違点に注目して説明する。
【００３５】
図３は、第２実施形態の太陽電池パネル増設方法を示す図である。尚、図３では、図２中の構成要素と同等な構成要素については図２と同じ符号が付されており、以下では、それら同等な構成要素の重複説明を省略する。また、この図３では、図２と同様に、新たな太陽電池パネル２１０について、増設前の状態と、増設後の状態とが、併記されている。
【００３６】
本実施形態では、増設スペースとしての近傍スペースＳ２１が、図３に示されているように、既設の太陽光発電設備２０において、太陽電池パネル支持構造１００の配列方向Ｄ２１について、各既設架台１１０の後方側のスペースとなっている。そして、複数の太陽電池パネル支持構造１００それぞれにおける既設架台１１０の裏面支持構造１１２の、配列方向Ｄ２１の後方側を、この近傍スペースＳ２１へと延長した延長架台２２０が設置される。この延長架台２２０によって、新たな太陽電池パネル２１０が支持される。尚、本実施形態では、増設スペースとしての近傍スペースＳ２１が既設架台１１０の後方側のスペースなので、隣接する太陽電池パネル支持構造の影の影響を受けない。このため、本実施形態では、ここでは特定しないが、新たな太陽電池パネル２１０は、薄膜系モジュールと結晶系モジュールとの何れであってもよい。
【００３７】
延長架台２２０は、Ｃ鋼を有する延長裏面支持構造２２１と、既設架台１１０の裏面支持構造１１２のＣ鋼及び延長裏面支持構造２２１のＣ鋼の双方に嵌合する継手２２２と、を備えている。この継手２２２を介して、延長架台２２０は、既設架台１１０の裏面支持構造１１２における配列方向Ｄ２１の後端に連結される。
【００３８】
また、本実施形態では、既設架台１１０における配列方向Ｄ２１の後方側に構造的な余裕があることから、既設架台１１０におけるその後方側の支持脚１１１と、延長裏面支持構造２２１と、を繋ぐ補助支持脚２２３が設けられる。また、太陽電池パネル支持構造１００の既設架台１１０の強度が十分に高い場合や、既設の太陽光発電設備２０の設置場所において想定される風荷重が小さい場合には、補助支持脚２２３を省略してもよい。
【００３９】
以上に説明した第２実施形態の太陽電池パネル増設方法でも、第１実施形態の太陽電池パネル増設方法と同様に新たな土地の追加・造成を必要とせず、施工コストを抑えて太陽電池パネルを増設することができることはいうまでもない。
【００４０】
また、第２実施形態の太陽電池パネル増設方法では、新たに基礎を設けることがないので、その分、施工コストを更に抑えて太陽電池パネルを増設することができる。
【００４１】
次に、第３実施形態について説明する。第３実施形態は、新たな太陽電池パネルの増設の仕方が、上述した第１実施形態とは異なっている。以下、第３実施形態について、この第１実施形態との相違点に注目して説明する。
【００４２】
図４は、第３実施形態の太陽電池パネル増設方法を示す図である。尚、図４では、図２中の構成要素と同等な構成要素については図２と同じ符号が付されており、以下では、それら同等な構成要素の重複説明を省略する。
【００４３】
本実施形態では、既設の太陽光発電設備３０において、増設スペースとしての近傍スペースＳ３１が、図４に示されているように、太陽電池パネル支持構造１００の配列方向Ｄ３１について、各既設架台１１０の前方側のスペースとなっている。そして、この近傍スペースＳ３１に、何れの既設架台１１０とも別体の増設架台３２０，３３０が設置される。各増設架台３２０，３３０によって新たな太陽電池パネル３１０が支持される。また、本実施形態では、新たな太陽電池パネル３１０として、影に有利な薄膜系モジュールを用いることが好ましい。
【００４４】
ここで、図４において、２つの太陽電池パネル支持構造１００の相互間に位置する近傍スペースＳ３１には、置き基礎３４０を用いて増設架台３２０が設置される。ここでは、この相互間の近傍スペースＳ３１に、防草シート３５０が敷かれ、その上に置き基礎３４０が載置され、当該置き基礎３４０に別体の増設架台３２０が設置される。増設架台３２０は、新たな太陽電池パネル３１０の裏面を支持する別体裏面支持構造３２１を備え、この別体裏面支持構造３２１から延びる別体支持脚３２２の下端が置き基礎３４０に固定される。
【００４５】
他方、配列端の太陽電池パネル支持構造１００（図４中の左側）の前方側の近傍スペースＳ３１には、大地に打ち込まれる単管杭３３２を用いた増設架台３３０が設置される。この単管杭３３２は、この前方側の近傍スペースＳ３１に設けられる新たな太陽電池パネル３１０の裏面を支持する別体裏面支持構造３３１を支持する支持脚の役割を果たす。
【００４６】
以上に説明した第３実施形態の太陽電池パネル増設方法でも、第１実施形態の太陽電池パネル増設方法と同様に新たな土地の追加・造成を必要とせず、施工コストを抑えて太陽電池パネルを増設することができることはいうまでもない。
【００４７】
また、第３実施形態の太陽電池パネル増設方法では、置き基礎３４０を用いる箇所につて施工が簡単で、その分、施工コストを一層抑えて太陽電池パネル３１０を増設することができる。また、この箇所では、防草シート３５０の上に置き基礎３４０を載置することから、増設後に除草作業の作業スペースが狭くなりがちな上記の近傍スペースＳ３１について除草作業を減らすことができる。これにより、増設後の設備維持コストも抑えることができる。
【００４８】
他方、単管杭３３２を用いる箇所についても、杭の打ち込みという簡単な施工により増設架台３３０の設置が可能であり、この箇所についても施工コストを一層抑えて太陽電池パネル３１０を増設することができる。
【００４９】
尚、本実施形態では、一部の近傍スペースＳ３１に置き基礎３４０を用いて増設架台３２０を設置し、別の近傍スペースＳ３１に単管杭３３２を用いて増設架台３３０を設置する形態が例示されている。しかしながら、増設スペースとして利用する全ての近傍スペースＳ３１に置き基礎３４０を用いて増設架台３２０を設置してもよく、あるいは、全ての近傍スペースＳ３１に単管杭３３２を用いて増設架台３３０を設置してもよい。
【００５０】
次に、第４実施形態について説明する。第４実施形態は、新たな太陽電池パネルの増設対象としての既設の太陽光発電設備における太陽電池パネル支持構造が、上述した第１実施形態とは異なっている。以下、第４実施形態について、この第１実施形態との相違点に注目して説明する。
【００５１】
図５は、第４実施形態の太陽電池パネル増設方法を示す図である。尚、この図５では、図２と同様に、新たな太陽電池パネル４３０について、増設前の状態と、増設後の状態とが、併記されている。
【００５２】
本実施形態の既設の太陽光発電設備４０における太陽電池パネル支持構造４００は、支持脚４１１として単管杭を備えた既設架台４１０で複数枚の太陽電池パネル４２０を並べて支持した太陽電池アレイである。既設の太陽光発電設備４０は、太陽電池パネル支持構造４００が設置場所に更に複数配列されて構成されている。
【００５３】
支持脚４１１は、円管状の杭であり、太陽電池パネル４２０の傾斜に沿って高さの異なる複数本が設置場所に立設されている。これら複数本の支持脚４１１の上端にＣ鋼を備える裏面支持構造４１２が設けられて、太陽電池パネル４２０の非受光面である裏面を支持している。
【００５４】
また、既設の太陽光発電設備４０では、複数の太陽電池パネル支持構造４００は、任意の太陽電池パネル支持構造４００における太陽電池パネル４２０に他の太陽電池パネル支持構造４００の影が落ちないように、間隙を開けて配列されている。
【００５５】
本実施形態の太陽電池パネル増設方法では、間隙を開けて互いに隣り合う２つの太陽電池パネル支持構造４００において、次のような箇所に、新たな太陽電池パネル４３０が増設される。まず、太陽電池パネル４２０の傾斜方向に沿った配列方向Ｄ４１の後方側の太陽電池パネル支持構造４００については、配列方向Ｄ４１の前方側の近傍スペースＳ４１に新たな太陽電池パネル４３０が増設される。他方、配列方向Ｄ４１の前方側の太陽電池パネル支持構造４００については、配列方向Ｄ４１の後方側の近傍スペースＳ４２に新たな太陽電池パネル４３０が増設される。尚、新たな太陽電池パネル４３０について、ここでは特定しないが、薄膜系モジュールと結晶系モジュールとの何れであってもよい。ただし、影の影響を受け易い前方側の近傍スペースＳ４１については、影に有利な薄膜系モジュールを用いることが好ましい。
【００５６】
ここでの増設工程では、後方側の太陽電池パネル支持構造４００については前方側の近傍スペースＳ４１へと既設架台４１０の裏面支持構造４１２を延長した延長架台４４０が設置される。この延長架台４４０は、新たな太陽電池パネル４３０の裏面を支持する、Ｃ鋼を備えた延長裏面支持構造４４１と、既設架台４１０の裏面支持構造４１２のＣ鋼及び延長裏面支持構造４４１のＣ鋼の双方に嵌合する継手４４２と、を備えている。延長裏面支持構造４４１が、継手４４２を介して、既設架台４１０の裏面支持構造４１２における配列方向Ｄ４１の前端に連結される。
【００５７】
一方、前方側の太陽電池パネル支持構造４００については後方側の近傍スペースＳ４２へと既設架台４１０の裏面支持構造４１２を延長した延長架台４５０が設置される。この延長架台４５０は、後方側の太陽電池パネル支持構造４００に連結される延長架台４４０と同様の延長裏面支持構造４５１と継手４５２とを備えている。ここでは、延長裏面支持構造４５１が、継手４５２を介して、既設架台４１０の裏面支持構造４１２における配列方向Ｄ４１の後端に連結される。
【００５８】
更に、本実施形態の増設工程では、延長架台４４０，４５０とともに、次のようなレール４６０も設置される。このレール４６０は、延長架台４４０，４５０を設置した既設架台４１０における複数本の支持脚４１１を相互に連結する。また、本実施形態では、レール４６０は、複数の既設架台４１０の相互間に亘って支持脚４１１を連結するように長尺に形成されている。
【００５９】
また、本実施形態では、レール４６０の設置に当たっては、配列方向Ｄ４１に沿って複数のコンクリート製のスペーサ４７０が並べられて配置され、これら複数のスペーサ４７０の上にレール４６０が載置される。これにより、レール４６０が、大地に対して非接触状態で設置される。
【００６０】
図６は、図５に示されているレールの支持脚への固定箇所を、図５中の矢印Ｖ４１矢視で示す拡大図である。図６（ａ）には、図５中で最も右側の支持脚４１１への固定箇所が代表例として示され、図６（ｂ）には、図６（ａ）中のＶ４２−Ｖ４２線断面が示されている。
【００６１】
この図６に示されているように、スペーサ４７０上に載置されたレール４６０は、２本のＵ字ボルト４６１によって円管状の単管杭である支持脚４１１に固定される。各Ｕ字ボルト４６１は、支持脚４１１の外周を抱き込んだ状態で両端部がレール４６０を貫通し、各端部にナット４６２が締結される。このナット４６２の締結によりレール４６０が支持脚４１１に固定される。このような固定が、レール４６０が隣接する全ての支持脚４１１に対して行われる。
【００６２】
以上に説明した第４実施形態の太陽電池パネル増設方法でも、第１実施形態の太陽電池パネル増設方法と同様に新たな土地の追加・造成を必要とせず、施工コストを抑えて太陽電池パネルを増設することができることはいうまでもない。
【００６３】
また、第４実施形態の太陽電池パネル増設方法では、延長架台４４０，４５０の設置によって既設架台４１０に掛かる負荷に対して、その複数本の支持脚４１１を相互に連結するレール４１１によって既設架台４１０が補強される。これにより、高い支持強度を確保しつつ延長架台４４０，４５０を設置して新たな太陽電池パネル４３０を増設することができる。
【００６４】
尚、本実施形態では、互いに隣り合う２つの太陽電池パネル支持構造４００のうち配列方向Ｄ４１の後方側の太陽電池パネル支持構造４００については、配列方向Ｄ４１の前方側の近傍スペースＳ４１に新たな太陽電池パネル４３０が増設される。他方、配列方向Ｄ４１の前方側の太陽電池パネル支持構造４００については、配列方向Ｄ４１の後方側の近傍スペースＳ４２に新たな太陽電池パネル４３０が増設される。しかしながら、図１を参照して説明した第１実施形態と同様に、何れの太陽電池パネル支持構造４００についても、前方側の近傍スペースＳ４１に新たな太陽電池パネル４３０を増設してもよい。あるいは、図２を参照して説明した第２実施形態と同様に、何れの太陽電池パネル支持構造４００についても、後方側の近傍スペースＳ４２に新たな太陽電池パネル４３０を増設してもよい。
【００６５】
次に、第５実施形態について説明する。第５実施形態は、既設の太陽光発電設備における太陽電池パネル支持構造については、上述した第４実施形態と同様に単管杭を支持脚とした既設架台を備えた構造となっている。その一方で、新たな太陽電池パネルの増設の仕方が、この第４実施形態とは異なっている。以下、第５実施形態について、この第４実施形態との相違点に注目して説明する。
【００６６】
図７は、第５実施形態の太陽電池パネル増設方法を示す図である。尚、図７では、第４実施形態の太陽電池パネル増設方法を示す図５中の構成要素と同等な構成要素については図５と同じ符号が付されており、以下では、それら同等な構成要素の重複説明を省略する。
【００６７】
本実施形態では、既設の太陽光発電設備５０において、増設スペースとしての近傍スペースＳ５１が次のようなスペースとなっている。即ち、この近傍スペースＳ５１は、配列方向Ｄ５１について、配列端の太陽電池パネル支持構造４００の後方側に位置する太陽電池パネル支持構造４００における既設架台４１０の前方側のスペースとなっている。そして、この近傍スペースＳ５１に、何れの既設架台４１０とも別体の増設架台５２０が設置される。この増設架台５２０によって、新たな太陽電池パネル５１０が支持される。この、新たな太陽電池パネル５１０としては、設置場所が影の影響を受け易い前方側の近傍スペースＳ５１なので、影に有利な薄膜系モジュールを用いることが好ましい。
【００６８】
ここで、本実施形態でも既設架台４１０の補強用に、第４実施形態と同様に、複数の既設架台４１０の相互間に亘って複数本の支持脚４１１を連結するように長尺に形成されたレール４６０が設置される。レール４６０は、配列方向Ｄ５１に沿って配列された複数のスペーサ４７０によって大地に対して非接触状態で設置される。そして、本実施形態の増設工程では、このレール４６０に別体の増設架台５２０が設置され、新たな太陽電池パネル５１０をこの増設架台５２０で支持させることとなっている。増設架台５２０は、新たな太陽電池パネル５１０の裏面を支持する別体裏面支持構造５２１を備え、この別体裏面支持構造５２１から延びる別体支持脚５２２の下端がレール４６０に固定される。
【００６９】
以上に説明した第５実施形態の太陽電池パネル増設方法でも、第４実施形態、つまりは第１実施形態の太陽電池パネル増設方法と同様に新たな土地の追加・造成を必要とせず、施工コストを抑えて太陽電池パネルを増設することができることはいうまでもない。
【００７０】
また、第５実施形態の太陽電池パネル増設方法では、既設架台４１０における複数本の支持脚４１１を相互に連結するレール４６０によって既設架台４１０を補強しつつ、そのレール４６０が増設架台５２０の設置場所として利用される。これにより、基礎の設置に掛かるコストを減らすことで、既設架台４１０の補強と施工コストの低減とを両立させつつ太陽電池パネルを増設することができる。
【００７１】
尚、本実施形態では、配列端を除く一部の太陽電池パネル支持構造４００における既設架台４１０の近傍スペースＳ５１にのみ増設架台５２０を設置する形態が例示されている。しかしながら、配列端を含む全ての近傍スペースに増設架台５２０を設置してもよいことはいうまでもない。
【００７２】
次に、第６実施形態について説明する。第６実施形態は、新たな太陽電池パネルの増設対象としての既設の太陽光発電設備における太陽電池パネル支持構造が、上述した第１実施形態や第４実施形態の何れとも異なっている。以下、第６実施形態について、特に第１実施形態との相違点に注目して説明する。
【００７３】
図８は、第６実施形態の太陽電池パネル増設方法を示す図である。尚、この図８では、図２と同様に、新たな太陽電池パネル６３０について、増設前の状態と、増設後の状態とが、併記されている。
【００７４】
本実施形態の既設の太陽光発電設備６０における太陽電池パネル支持構造６００は、支持脚６１１としてスクリュー杭を備えた既設架台６１０で複数枚の太陽電池パネル６２０を並べて支持した太陽電池アレイである。既設の太陽光発電設備６０は、太陽電池パネル支持構造６００が設置場所に更に複数配列されて構成されている。
【００７５】
支持脚６１１は、設置場所に捩じ込み設置されるスクリュー部６１１ａと、スクリュー部６１１ａに接続される円管部６１１ｂと、を備えている。スクリュー部６１１ａの上端の継手フランジ６１１ａ−１と、円管部６１１ｂの下端の継手フランジ６１１ｂ−１とがボルト接続されて支持脚６１１が構成される。
【００７６】
このような支持脚６１１として、太陽電池パネル６２０の傾斜に沿って円管部６１１ｂの高さの異なる複数本が、設置場所にスクリュー部６１１ａが埋設された状態で設置されている。これら複数本の支持脚６１１の上端に裏面支持構造６１２が設けられて、太陽電池パネル６２０の非受光面である裏面を支持している。
【００７７】
また、既設の太陽光発電設備６０では、複数の太陽電池パネル支持構造６００は、任意の太陽電池パネル支持構造６００における太陽電池パネル６２０に他の太陽電池パネル支持構造６００の影が落ちないように、間隙を開けて配列されている。
【００７８】
本実施形態の太陽電池パネル増設方法では、間隙を開けて互いに隣り合う２つの太陽電池パネル支持構造６００において、次のような箇所に、新たな太陽電池パネル６３０が増設される。まず、太陽電池パネル６２０の傾斜方向に沿った配列方向Ｄ６１の後方側の太陽電池パネル支持構造６００については、配列方向Ｄ６１の前方側の近傍スペースＳ６１に新たな太陽電池パネル６３０が増設される。他方、配列方向Ｄ６１の前方側の太陽電池パネル支持構造６００については、配列方向Ｄ６１の後方側の近傍スペースＳ６２に新たな太陽電池パネル６３０が増設される。尚、新たな太陽電池パネル６３０について、ここでは特定しないが、薄膜系モジュールと結晶系モジュールとの何れであってもよい。ただし、影の影響を受け易い前方側の近傍スペースＳ６１については、影に有利な薄膜系モジュールを用いることが好ましい。
【００７９】
ここでの増設工程では、後方側の太陽電池パネル支持構造６００については前方側の近傍スペースＳ６１へと既設架台６１０の裏面支持構造６１２を延長した延長架台６４０が設置される。この延長架台６４０は、新たな太陽電池パネル６３０の裏面を支持する、Ｃ鋼を備えた延長裏面支持構造６４１と、既設架台６１０の裏面支持構造６１２のＣ鋼及び延長裏面支持構造６４１のＣ鋼の双方に嵌合する継手６４２と、を備えている。延長裏面支持構造６４１が、継手６４２を介して、既設架台６１０の裏面支持構造６１２における配列方向Ｄ６１の前端に連結される。
【００８０】
一方、前方側の太陽電池パネル支持構造６００については後方側の近傍スペースＳ６２へと既設架台６１０の裏面支持構造６１２を延長した延長架台６５０が設置される。この延長架台６５０は、後方側の太陽電池パネル支持構造６００に連結される延長架台６４０と同様の延長裏面支持構造６５１と継手６５２とを備えている。ここでは、延長裏面支持構造６５１が、継手６５２を介して、既設架台６１０の裏面支持構造６１２における配列方向Ｄ６１の後端に連結される。
【００８１】
更に、本実施形態の増設工程では、延長架台６４０，６５０とともに、次のようなレール６６０も設置される。このレール６６０は、延長架台６４０，６５０を設置した既設架台６１０における複数本の支持脚６１１を相互に連結する。また、本実施形態では、レール６６０は、複数の既設架台６１０の相互間に亘って支持脚６１１を連結するように長尺に形成されている。
【００８２】
また、本実施形態では、レール６６０の設置に当たっては、配列方向Ｄ６１に沿って複数のコンクリート製のスペーサ６７０が並べられて配置され、これら複数のスペーサ６７０の上にレール６６０が載置される。これにより、レール６６０が、大地に対して非接触状態で設置される。
【００８３】
図９は、図８に示されているレールの支持脚への固定箇所を、図８中の矢印Ｖ６１矢視で示す拡大図である。図９（ａ）には、図８中で最も右側の支持脚６１１への固定箇所が代表例として示され、図９（ｂ）には、図８（ａ）中のＶ６２−Ｖ６２線断面が示されている。
【００８４】
この図９に示されているように、スペーサ６７０上に載置されたレール６６０は、支持脚６１１のスクリュー部６１１ａの継手フランジ６１１ａ−１と大地との間に、スペーサ６７０の上に載った状態で固定される。この固定は、スクリュー部６１１ａの外周面とレール６６０との間に介在部６６１を挟んだ状態で、２本のＵ字ボルト６６２を用いて行われる。介在部６６１の支持脚６１１側は、スクリュー部６１１ａの外周面と合致するように半円状に窪んでおり、レール６６０側は平面となっている。介在部６６１の窪みにスクリュー部６１１ａの外周面が嵌合し、反対側の平面にレール６６０が押し当てられる。そして、各Ｕ字ボルト６６２は、スクリュー部６１１ａの外周を抱き込んだ状態で両端部が介在部６６１及びレール６６０を貫通し、各端部にナット６６３が締結される。このナット６６３の締結によりレール６６０が支持脚６１１のスクリュー部６１１ａに固定される。このような固定が、レール６６０が隣接する全ての支持脚６１１に対して行われる。
【００８５】
以上に説明した第６実施形態の太陽電池パネル増設方法でも、第１実施形態の太陽電池パネル増設方法と同様に新たな土地の追加・造成を必要とせず、施工コストを抑えて太陽電池パネルを増設することができることはいうまでもない。
【００８６】
また、第６実施形態の太陽電池パネル増設方法では、上述した第４実施形態の太陽電池パネル増設方法と同様に、レール６１１によって既設架台６１０が補強される。これにより、高い支持強度を確保しつつ延長架台６４０，６５０を設置して新たな太陽電池パネル６３０を増設することができる。
【００８７】
尚、本実施形態でも、上述した第４実施形態と同様に、何れの太陽電池パネル支持構造６００についても、前方側の近傍スペースＳ６１に新たな太陽電池パネル６３０を増設してもよい。あるいは、何れの太陽電池パネル支持構造６００についても、後方側の近傍スペースＳ６２に新たな太陽電池パネル６３０を増設してもよい。
【００８８】
次に、第７実施形態について説明する。第７実施形態は、既設の太陽光発電設備における太陽電池パネル支持構造については、上述した第６実施形態と同様にスクリュー杭を支持脚とした既設架台を備えた構造となっている。その一方で、新たな太陽電池パネルの増設の仕方が、この第６実施形態とは異なっている。以下、第７実施形態について、この第６実施形態との相違点に注目して説明する。
【００８９】
図１０は、第７実施形態の太陽電池パネル増設方法を示す図である。尚、図１０では、第６実施形態の太陽電池パネル増設方法を示す図８中の構成要素と同等な構成要素については図８と同じ符号が付されており、以下では、それら同等な構成要素の重複説明を省略する。
【００９０】
本実施形態では、既設の太陽光発電設備７０において、増設スペースとしての近傍スペースＳ７１が次のようなスペースとなっている。即ち、この近傍スペースＳ７１が、配列方向Ｄ７１について、配列端の太陽電池パネル支持構造６００の後方側に位置する太陽電池パネル支持構造６００における既設架台６１０の前方側のスペースとなっている。そして、この近傍スペースＳ７１に、何れの既設架台６１０とも別体の増設架台７２０が設置される。この増設架台７２０によって、新たな太陽電池パネル７１０が支持される。この、新たな太陽電池パネル７１０としては、設置場所が影の影響を受け易い前方側の近傍スペースＳ７１なので、影に有利な薄膜系モジュールを用いることが好ましい。
【００９１】
ここで、本実施形態でも既設架台６１０の補強用に、第６実施形態と同様に、複数の既設架台６１０の相互間に亘って複数本の支持脚６１１を連結するように長尺に形成されたレール６６０が設置される。レール６６０は、配列方向Ｄ７１に沿って配列された複数のスペーサ６７０によって大地に対して非接触状態で設置される。そして、本実施形態の増設工程では、このレール６６０に別体の増設架台７２０が設置され、新たな太陽電池パネル７１０をこの増設架台７２０で支持させることとなっている。増設架台７２０は、新たな太陽電池パネル７１０の裏面を支持する別体裏面支持構造７２１を備え、この別体裏面支持構造７２１から延びる別体支持脚７２２の下端がレール６６０に固定される。
【００９２】
以上に説明した第７実施形態の太陽電池パネル増設方法でも、第６実施形態、つまりは第１実施形態の太陽電池パネル増設方法と同様に新たな土地の追加・造成を必要とせず、施工コストを抑えて太陽電池パネルを増設することができることはいうまでもない。
【００９３】
また、第７実施形態の太陽電池パネル増設方法では、上述した第５実施形態の太陽電池パネル増設方法と同様に、レール６６０による補強とレール６６０への増設架台７２０の設置により施工コストの低減とを両立させつつ太陽電池パネルを増設することができる。
【００９４】
そして、本実施形態でも、上述した第５実施形態と同様に、配列端を含む全ての太陽電池パネル支持構造６００の近傍スペースに増設架台７２０を設置してもよいことはいうまでもない。
【００９５】
尚、以上に説明した第１〜第７実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の太陽電池パネル増設方法の構成を具備する限り、勿論、本発明の範疇に含まれるものである。
【００９６】
例えば、上述した実施形態では、本発明にいう既設の太陽光発電設備の一例として、配列方向に２つの太陽電池パネル支持構造が配列された太陽光発電設備１０，・・・，７０が例示されている。しかしながら、本発明にいう既設の太陽光発電設備はこれらに限るものではない。本発明にいう既設の太陽光発電設備は、複数の太陽電池パネル支持構造が互いに間隙を開けて複数の太陽電池パネル支持構造が配列されたものであれば、配列される太陽電池パネル支持構造の数等といった具体的な構成を問うものではない。
【００９７】
また、上述した実施形態では、本発明にいう太陽電池パネル支持構造の一例として、太陽電池アレイとしての太陽電池パネル支持構造１００，２００，３００，４００，６００が例示されている。しかしながら、本発明にいう太陽電池パネル支持構造は、これに限るものではなく、例えば、１枚の太陽電池パネルを支持したものであってもよい。本発明にいう太陽電池パネル支持構造は、支持する太陽電池パネルの枚数等の具体的な構成を問うものではない。
【００９８】
また、上述した実施形態では、本発明にいう既設架台の一例として、支持脚１１１が布基礎１３０に設置された既設架台１１０が例示されている。また、単管杭としての支持脚４１１を備えた既設架台４１０や、スクリュー杭としての支持脚６１１を備えた既設架台６１０も例示されている。しかしながら、本発明にいう既設架台は、これらに限るものではなく、支持脚の数や形状、その設置態様等といった具体的な構成を問うものではない。
【００９９】
また、上述した実施形態では、本発明にいう延長架台の一例として、継手を介して既設架台に連結される延長架台１４０，２２０，４４０，４５０，６４０，６５０が例示されている。しかしながら、本発明にいう延長架台は、これらに限るものではなく、例えばボルトで既設架台に連結されるもの等であってもよい。本発明にいう延長架台は、既設架台を、太陽電池パネル支持構造の近傍スペースへと延長したものであれば、その具体的な構成を問うものではない。
【０１００】
また、上述した実施形態では、本発明にいう増設架台の一例として、置き基礎３４０を用いる増設架台３２０や、単管杭３３２を用いる増設架台３３０や、補強用のレール４６０，６６０に固定される増設架台５２０，７２０が例示されている。しかしながら、本発明にいう増設架台は、例えば独立基礎を用いるもの等であってもよい。本発明にいう増設架台は、太陽光発電設備をなす複数の太陽電池パネル支持構造の何れの既設架台とも別体のものであれば、その具体的な構成を問うものではない。
【０１０１】
また、上述した実施形態では、補強用のレールの一例として、Ｃ鋼のレール４６０，６６０が例示されている。しかしながら、補強用のレールは、Ｃ鋼のレールに限るものではなく、例えばＨ鋼のレールや矩形管や溝付きレール等であってもよく、その具体的な形状等を問うものではない。
【符号の説明】
【０１０２】
１０，２０，３０，４０，５０，６０，７０  既設の太陽光発電設備
１００，２００，３００，４００，６００  太陽電池パネル支持構造
１１０，４１０，６１０  既設架台
１１１，４１１，６１１  支持脚
１２０，４２０，６２０  太陽電池パネル
１３０  布基礎
１４０，２１０，３１０，４３０，５１０，６３０  新たな太陽電池パネル
１５０，２２０，４４０，４５０，６４０，６５０  延長架台
３２０，３３０，５２０，７２０  増設架台
３４０  置き基礎
３５０  防草シート
４６０，６６０  レール
Ｄ１１，Ｄ２１，Ｄ３１，Ｄ４１，Ｄ５１，Ｄ６１，Ｄ７１  配列方向
Ｓ１１，Ｓ２１，Ｓ３１，Ｓ４１，Ｓ４２，Ｓ５１，Ｓ６１，Ｓ６２，Ｓ７１  近傍スペース
【図１】
2016220535.tif 000003
【図２】
2016220535.tif 000004
【図３】
2016220535.tif 000005
【図４】
2016220535.tif 000006
【図５】
2016220535.tif 000007
【図６】
2016220535.tif 000008
【図７】
2016220535.tif 000009
【図８】
2016220535.tif 000010
【図９】
2016220535.tif 000011
【図１０】
2016220535.tif 000012